(57)【要約】【課題】さらなる利便性の向上を可能にするポスト機能付き宅配ボックスを提供する。【解決手段】ボックス本体１と、ボックス本体１の内部に設けられ、ボックス本体１内を投函物が投函されて投函物を収容するポスト側空間５と宅配物を収容する宅配ボックス側空間６に区画する仕切り１０とを備えたポスト機能付き宅配ボックスＢにおいて、仕切り１０が移動可能に設けられ、ポスト側空間５と宅配ボックス側空間６の大きさを可変として構成する。【選択図】図１
2017136108.tif 000002
【特許請求の範囲】
【請求項１】
ボックス本体と、前記ボックス本体の内部に設けられ、前記ボックス本体内を投函物が投函されて該投函物を収容するポスト側空間と宅配物を収容する宅配ボックス側空間に区画する仕切りとを備えたポスト機能付き宅配ボックスにおいて、
前記仕切りが移動可能に設けられ、前記ポスト側空間と前記宅配ボックス側空間の大きさを可変として構成されていることを特徴とするポスト機能付き宅配ボックス。
【請求項２】
請求項１記載のポスト機能付き宅配ボックスにおいて、
前記仕切りによって前記ボックス本体内を左右に区画して前記ポスト側空間と前記宅配ボックス側空間を形成するとともに、前記仕切りが上下方向に延びる回動軸周りに回動自在に設けられているポスト機能付き宅配ボックス。
【請求項３】
請求項２記載のポスト機能付き宅配ボックスにおいて、
前記ボックス本体の前面に開閉扉が設けられ、前記投函物、前記宅配物を前面側から前記ボックス本体内に入れ、前記開閉扉を開いて前記投函物、前記宅配物を前面側から取り出す前入れ前出し式で構成され、
前記回動軸が前記ボックス本体の背面側に設けられているポスト機能付き宅配ボックス。
【請求項４】
請求項２記載のポスト機能付き宅配ボックスにおいて、
前記ボックス本体の前面と背面にそれぞれ開閉扉が設けられ、前記投函物、前記宅配物を前面側から前記ボックス本体内に入れ、前記背面側の開閉扉を開いて前記投函物、前記宅配物を背面側から取り出す前入れ後ろ出し式で構成され、
前記回動軸が前記ボックス本体の前面側に設けられているポスト機能付き宅配ボックス。
【請求項５】
請求項１から請求項４のいずれか一項に記載のポスト機能付き宅配ボックスにおいて、
前記ボックス本体内に前記開閉扉を開くとともに前記ボックス本体内に光を照射する照明装置を備えるとともに、前記仕切りが前記光を透過する部材を用いて形成されているポスト機能付き宅配ボックス。
【発明の詳細な説明】
【技術分野】
【０００１】
本発明は、宅配ボックスとポストの両方の機能を備えたポスト機能付き宅配ボックスに関する。
【背景技術】
【０００２】
例えばマンション、一般住宅などに、はがきや封書などの投函物と、宅配物（荷物）を一つのボックスに投函、収容するように構成したポスト機能付き宅配ボックスを設置するケースが増えている。
【０００３】
一般に、このようなポスト機能付き宅配ボックスは、ボックス本体内に仕切りを固定して取り付け、仕切りによってボックス本体の内部空間を区分けし、一方の空間を宅配ボックス、他方の空間をポストとして利用するように構成されている（例えば、特許文献１参照）。
【０００４】
また、ポスト機能付き宅配ボックスＡには、図３に示すように、前面１ａ側から投函物、宅配物をボックス本体１内に入れ、前面１ａ側の開閉扉２を開いて前面１ａ側から投函物、宅配物を取り出すように構成したもの（前入れ前出し式）と、図４に示すように、前面１ａ側から投函物、宅配物をボックス本体１内に入れ、背面１ｂ側に設けた開閉扉３を開いて背面１ｂ側から投函物、宅配物を取り出すように構成したもの（前入れ後ろ出し式）とがある。
【先行技術文献】
【特許文献】
【０００５】
【特許文献１】特開２０１３−２２６３２１号公報
【発明の概要】
【発明が解決しようとする課題】
【０００６】
しかしながら、上記従来のポスト機能付き宅配ボックスＡにおいては、内部空間を左右に区分けする仕切り４が固定して設けられていることにより、ボックス本体１の全体の容積に対し投函物、宅配物をそれぞれ収容するポスト側空間５と宅配ボックス側空間６が予め設定した容積で限定される。これにより、それぞれの空間５、６に投函・収容できる投函物、宅配物の大きさが予め設定した容積で制限され、投函物、宅配物の大きさ、量に柔軟に対応できない。
【０００７】
また、仕切り４が設けられていることにより、例えばボックス本体１内に設けられた照明７や錠８などのメンテナンスを行う際の作業性が悪くなる場合もある。
【０００８】
本発明は、上記事情に鑑み、さらなる利便性の向上を可能にするポスト機能付き宅配ボックスを提供することを目的とする。
【課題を解決するための手段】
【０００９】
上記の目的を達するために、この発明は以下の手段を提供している。
【００１０】
本発明のポスト機能付き宅配ボックスは、ボックス本体と、前記ボックス本体の内部に設けられ、前記ボックス本体内を投函物が投函されて該投函物を収容するポスト側空間と宅配物を収容する宅配ボックス側空間に区画する仕切りとを備えたポスト機能付き宅配ボックスにおいて、前記仕切りが移動可能に設けられ、前記ポスト側空間と前記宅配ボックス側空間の大きさを可変として構成されていることを特徴とする。
【００１１】
また、本発明のポスト機能付き宅配ボックスにおいては、前記仕切りによって前記ボックス本体内を左右に区画して前記ポスト側空間と前記宅配ボックス側空間を形成するとともに、前記仕切りが上下方向に延びる回動軸周りに回動自在に設けられていることが望ましい。
【００１２】
さらに、本発明のポスト機能付き宅配ボックスにおいては、前記ボックス本体の前面に開閉扉が設けられ、前記投函物、前記宅配物を前面側から前記ボックス本体内に入れ、前記開閉扉を開いて前記投函物、前記宅配物を前面側から取り出す前入れ前出し式で構成され、前記回動軸が前記ボックス本体の背面側に設けられていることが望ましい。
【００１３】
また、本発明のポスト機能付き宅配ボックスにおいては、前記ボックス本体の前面と背面にそれぞれ開閉扉が設けられ、前記投函物、前記宅配物を前面側から前記ボックス本体内に入れ、前記背面側の開閉扉を開いて前記投函物、前記宅配物を背面側から取り出す前入れ後ろ出し式で構成され、前記回動軸が前記ボックス本体の前面側に設けられていることが望ましい。
【００１４】
さらに、本発明のポスト機能付き宅配ボックスにおいては、前記ボックス本体内に前記開閉扉を開くとともに前記ボックス本体内に光を照射する照明装置を備えるとともに、前記仕切りが前記光を透過する部材を用いて形成されていることがより望ましい。
【発明の効果】
【００１５】
本発明のポスト機能付き宅配ボックスにおいては、仕切りが回動するなど、移動可能であることにより、ポスト側空間と宅配ボックス側空間の大きさ、容量を自在に変えることができる。これにより、ポスト側空間に収容された郵便物などの投函物が多い場合には仕切りを宅配ボックス側空間の方に移動させてポスト側空間の容量を大きくし、宅配ボックス側空間に収容された宅配物が多い、大きい場合には仕切りをポスト側空間の方に移動させてポスト側空間の容量を大きくすることができる。
【００１６】
よって、本発明のポスト機能付き宅配ボックスによれば、仕切りを回動させるなどして移動することでポスト側空間と宅配ボックス側空間の大きさを調整することができ、ポスト側空間と宅配ボックス側空間に収容される投函物、宅配物の大きさ、量に柔軟に対応することが可能になる。すなわち、ポスト機能付き宅配ボックスの機能性、利便性を高めることができる。
【００１７】
また、ポスト側空間、宅配ボックス側空間に収容された投函物、宅配物を取り出す際に、仕切りを移動させ、取り出す投函物、宅配物が収容された側の空間を大きく開くことができる。これにより、従来の仕切りが固定されている場合と比較し、収容された投函物、宅配物を容易にボックス本体から取り出すことができ、取扱性を大幅に向上させることが可能になる。
【００１８】
また、開閉扉を開くとともに、これに連動して光をボックス本体内に照射する照明装置を備えることによって、例えば夜間に投函物、宅配物を取り出す場合など、ボックス本体内を明るく照らすことができる。また、仕切りが光を透過する部材（例えば、透明（略透明を含む）の部材、光を透過する孔、スリット等を設けた部材など）を用いて形成されていれば、一方の側に設けられた照明装置から照射した光が仕切りを透過して他方の側を明るく照らすことができる。これにより、仕切りを設けた場合であっても一つの照明装置で一方の側と他方の側を明るくすることができ、投函物、宅配物を取り出す際の利便性を高めることができ、さらに照明装置が一つで済むことで経済性を高めることも可能になる。
【図面の簡単な説明】
【００１９】
【図１】本発明の一実施形態に係る前入れ前出し式のポスト機能付き宅配ボックスを示す図である。
【図２】本発明の一実施形態に係る前入れ後ろ出し式のポスト機能付き宅配ボックスを示す図である。
【図３】従来の前入れ前出し式のポスト機能付き宅配ボックスを示す図である。
【図４】本発明の一実施形態に係る前入れ後ろ出し式のポスト機能付き宅配ボックスを示す図である。
【発明を実施するための形態】
【００２０】
以下、図１及び図２を参照し、本発明の一実施形態に係るポスト機能付き宅配ボックスについて説明する。
【００２１】
本実施形態のポスト機能付き宅配ボックスＢは、図１及び図２に示すように、宅配ボックスとポストの両方の機能を備えたものであり、矩形箱状のボックス本体１と、ボックス本体１の前面１ａ及び／又は背面１ｂに形成された開口部を開閉する開閉扉２、３と、ボックス本体１の内部空間を左右に区分けし、一方をポスト側空間５、他方を宅配ボックス側空間６とする仕切り１０とを備えて構成されている。
【００２２】
また、図３に示すポスト機能付き宅配ボックスＢは、前入れ前出し式のポスト機能付き宅配ボックスであり、前面１ａに、ポスト側開口と宅配ボックス側開口の双方（ボックス本体１の前面側開口全体）を開閉する一つの開閉扉（前扉）２を設けて構成されている。さらに、この開閉扉２に、ポスト側空間５に投函物を投函する投函口２ａを設けるとともに、宅配ボックス用開閉扉２ｂを回動／開閉自在に一体に具備（内蔵）して構成されている。
【００２３】
図４に示すポスト機能付き宅配ボックスＢは、前入れ後ろ出し式のポスト機能付き宅配ボックスであり、前面１ａに、仕切り１０で区画された宅配ボックス側空間６の開口を開閉する開閉扉２を設け、背面１ｂに、ポスト側空間５と宅配ボックス側空間６の双方の背面側の開口を開閉する開閉扉（後扉）３を設けて構成されている。また、本実施形態では、前面１ａのポスト側空間５の開口が閉塞され、この閉塞板部に投函口１ｃが設けられている。なお、この前面１ａのポスト側空間５の開口部分に投函口を備えた開閉扉を設け、開閉可能に構成しても勿論構わない。
【００２４】
一方、本実施形態のポスト機能付き宅配ボックスＢにおいては、仕切り１０が側端部を上下方向に延びる回動軸１１によって回動軸線Ｏ１周りに回動自在にボックス本体１に接続して設けられている。すなわち、本実施形態の仕切り１０は移動可能に設けられ、ボックス本体１内で回動軸線Ｏ１中心に回動することにより、ポスト側空間５と宅配ボックス側空間６の大きさ、容量を変えることができるように設けられている。
【００２５】
このとき、前入れ前出し式の場合には回動軸１１をボックス本体１の背面１ｂ側に設け、前入れ後ろ出し式の場合には回動軸１１を前面１ａ側に設け、それぞれ仕切り１０を回動軸周りに回動自在に配設するようにしている。
【００２６】
また、本実施形態では、開閉扉２、３を開くと、これに連動して灯光する照明装置７が設けられている。さらに、本実施形態の仕切り１０は略透明（透明、半透明）の部材を用いて形成されている。なお、仕切り１０は、光を透過することが可能な部材であれば特に限定しなくてもよい。例えば、透明（略透明）の部材でなく、パンチングパネル、網、スリット付きパネルなど、光を透過する孔やスリットを設けた部材などを用いて仕切り１０を構成してもよい。
【００２７】
そして、上記構成からなる本実施形態のポスト機能付き宅配ボックスＢにおいては、仕切り１０が回動軸周りに回動（ボックス本体１内で移動）することでポスト側空間５と宅配ボックス側空間６の大きさ、容量が変わる。このため、ポスト側空間５に収容された郵便物などの投函物が多い場合には仕切り１０を宅配ボックス側空間６の方に回動させてポスト側空間５の容量を大きくし、宅配ボックス側空間６に収容された宅配物が多い、大きい場合には仕切り１０をポスト側空間５の方に回動させて宅配ボックス側空間６の容量を大きくすることができる。
【００２８】
これにより、仕切り１０を回動（移動）させることでポスト側空間５と宅配ボックス側空間６の大きさを調整することができ、ポスト側空間５と宅配ボックス側空間６に収容される投函物、宅配物の大きさ、量に柔軟に対応することが可能になる。すなわち、ポスト機能付き宅配ボックスＢの機能性、利便性を高めることができる。
【００２９】
また、ポスト側空間５、宅配ボックス側空間６に収容された投函物、宅配物を取り出す際に、仕切り１０を手で回動させ、取り出す投函物、宅配物が収容された側の空間５、６を大きく開くことができる。
【００３０】
これにより、従来の仕切り４が固定されている場合と比較し、収容された投函物、宅配物を容易にボックス本体１から取り出すことができ、取扱性を大幅に向上させることが可能になる。
【００３１】
また、前入れ前出し式の場合には回動軸１１をボックス本体１の背面１ｂ側に設け、前入れ後ろ出し式の場合には回動軸１１を前面１ａ側に設け、それぞれ仕切り１０を回動軸周りに回動自在に配設することにより、上記の作用効果をより確実且つ効果的に得ることができる。
【００３２】
さらに、仕切り１０が略透明の部材を用いて形成されているため、仕切りを設けて宅配ボックスにポスト機能を付与した場合に、ポスト側空間５、宅配ボックス側空間６の一方の側から他方の側の空間を仕切り１０を通じて臨むことができる。これにより、仕切り１０を設けた場合であっても一方の空間の宅配物（投函物）の有無を確認するとともに他方の空間の投函物（宅配物）の有無を仕切り１０越しに確認することができる。
【００３３】
また、開閉扉２、３を開くと、これに連動して光を照射する照明装置７によってボックス本体１内を明るく照らすことができる。そして、このとき、この仕切り１０が略透明の部材（光を透過する部材）を用いて形成されているため、一方の側に設けられた照明装置７から照射した光が仕切り１０を透過して他方の側を明るく照らすことができる。これにより、仕切り１０を設けた場合であっても、一つの照明装置７で一方の側と他方の側を明るくすることができ、例えば夜間に投函物、宅配物を取り出す際の利便性を高めることができ、さらに照明装置７が一つで済むため、経済性を高めることも可能になる。
【００３４】
以上、本発明に係るポスト機能付き宅配ボックスの一実施形態について説明したが、本発明は上記の一実施形態に限定されるものではなく、その趣旨を逸脱しない範囲で適宜変更可能である。
【符号の説明】
【００３５】
１      ボックス本体
１ａ    前面
１ｂ    背面
１ｃ    投函口
２      開閉扉
２ａ    投函口
３      開閉扉
４      従来の仕切り
５      ポスト側空間
６      宅配ボックス側空間
７      照明装置
８      錠
１０    仕切り
１１    回動軸
Ａ      従来のポスト機能付き宅配ボックス
Ｂ      ポスト機能付き宅配ボックス
Ｏ１    回動軸線
【図１】
2017136108.tif 000003
【図２】
2017136108.tif 000004
【図３】
2017136108.tif 000005
【図４】
2017136108.tif 000006